(57)【要約】【課題】  屋上がほぼ平らな無落雪屋根の建造物に太陽電池等を取り付ける取付構造において、屋根材を傷めるおそれが無く、部品点数が少なく取り付けに手間を要しない取付構造を提供する。【解決手段】  長尺鋼板屋根材40の一対のハゼ41を除く部分よりやや狭い幅の梁折板10を設け、梁折板10の両端の山部裾野間に渡り梁折板10の下方を塞ぐ開止め板を設け、開止め板の水平部21と垂直片の間を円弧状の薄い板でつないだアール部26とし、一対の垂直片をそのハゼ固定用金物27と固定し、開止め板のアール部26の半径が大きくなる方向の強度を吊子の座屈強度より小とした。【選択図】図６
2011247035.tif 000002
【特許請求の範囲】
【請求項１】
長尺鋼板屋根材のハゼと野地板の間を吊子が連結する長尺鋼板屋根材による屋根への架台の取付構造において、長尺鋼板屋根材の一対のハゼを除く部分よりやや狭い幅の梁折板を設け、梁折板は水平な複数の山部と水平な谷部を有する折板形状で、長尺鋼板屋根材のハゼと梁折板の山部が平面視で平行に位置し、梁折板の両端の山部裾野間に渡り梁折板の下方を塞ぎ梁折板の両端の山部裾野間が広がるのを防ぐ略水平方向の板である開止め板を設け、開止め板は長尺鋼板屋根材の一対のハゼを除く部分に載り、梁折板の谷部底面に開止め板の水平部上面が接して梁折板を支え、開止め板の一対のハゼ方向両端に垂直方向の板である一対の垂直片を設け、開止め板の水平部と垂直片の間を円弧状の薄い板でつないだアール部とし、一対の垂直片の外方のハゼに一対のハゼ固定用金物を固定し、一対の垂直片をそのハゼ固定用金物と固定し、開止め板のアール部の半径が大きくなる方向の強度を吊子の座屈強度より小とし、梁折板の上に柱受固定し、柱受に太陽電池等の架台を取り付けた太陽電池等の屋根への取付構造。
【請求項２】
垂直片には垂直方向に長い長孔を設け、長孔を介してハゼ固定用金物と垂直片を固定する請求項１記載の太陽電池等の屋根への取付構造。
【発明の詳細な説明】
【技術分野】
【０００１】
本発明は、屋上がほぼ平らな無落雪屋根の建造物に太陽電池モジュール等を取り付ける取付架台に関する。
【背景技術】
【０００２】
太陽電池は地球環境の点からも注目され普及が進んでいる。その太陽電池モジュールの設置は、通常は南向きの傾斜した屋根に沿って並べられる。屋上がほぼ平らな無落雪屋根の場合は、その屋根材の上にその地域の緯度に合わせた傾斜を有する架台を南向きに取り付け、その傾斜面に太陽電池モジュールを取り付けている。
【０００３】
例えば、特開２０００−１０１１２３号公報に示されるように、複数の太陽電池パネルを平面状に取付可能とした架台装置において、前記架台装置は、みぞ形鋼，角形鋼管等により矩形枠状に形成した取付フレームと、前記取付フレームの長さ方向に沿って一対のみぞ形鋼を前記長さ方向と直交する方向に所定の間隔を保って複数本平行に配設した取付ビームと、前記取付フレームの一方端に取付けた低脚支柱と、取付フレームの他方端に取付けた高脚支柱とによって、所定角度前傾させた状態で個別分解可能に形成され、前記太陽電池パネル取付架台装置をその長さ方向に沿って固定金具により所定台数横長に、かつ、取外し自在に連接・固定し、前記取付フレームと取付ビームとからなる取付スペースに太陽電池パネルを所定枚数取付けるようにしたものが知られている。
【０００４】
この太陽電池取付架台装置は、配設する太陽電池パネルの所定枚数を１モジュールとし、この１モジュールの太陽電池パネル群を、それぞれ１つの太陽電池パネル取付架台装置に設置するように構成したので、前記太陽電池パネルのモジュール数が増加すれば、それに対応して同数の太陽電池パネル取付架台装置を準備すればよく、しかも、前記各架台装置はそれぞれ固定金具にて個別に分離可能に連接することができるので、太陽電池パネル取付架台装置を太陽電池パネルの１モジュール毎に形成することが可能となり、工場等において量産することができ、この種架台装置を簡易に、かつ、安価に製造することが可能となるものである。
【０００５】
また一方、降雪地域では、傾斜した長尺鋼板屋根材葺き屋根からの落雪を防ぐ雪止を、屋根の突起材（ハゼ）に取付ける雪止金具が知られている。
【０００６】
例えば、実公昭５０−３９６０６号公報に示されるように、倒Ｕ字状断面の広巾材の中央にＬ字状断面材のＬ字状の一辺が嵌入する縦の切込みを設け、該切込みの外側には一辺がＬ字状断面材の上面にかぶさり、他辺を広巾材内に挿入してその外側から締ボルトとナット等を有した締付具を貫通させたＬ字状材を設けると共に、切込みの反対側には広巾材の外側から締ボルトとナット等を有した締付具を貫通させ、且つその端部に直角な受板の取付板を突設し、広巾材の下面口部には左右交互に内方に突出した突片を夫々設けたものが知られている。
【０００７】
この雪止金具は、屋根表の突出片（ハゼ）に強力に取付いた広巾材に長いＬ字状断面材を個々の突出片部で強固に支持し、その取り付けが簡単でしかも確実なものである。
【先行技術文献】
【特許文献】
【０００８】
【特許文献１】特開２０００−１０１１２３号公報
【特許文献２】実公昭５０−３９６０６号公報
【発明の概要】
【発明が解決しようとする課題】
【０００９】
降雪地域で、屋根上が水勾配でほぼ平らな無落雪屋根の建造物は、建造物周囲に落雪しないことから、かなりの普及をみている。しかし、この無落雪屋根に太陽電池モジュールを設置する場合、太陽電池モジュールが積雪で埋まって発電できなくなる、という問題がある。
【００１０】
そのため、傾斜の架台に取り付けた複数の太陽電池モジュールの互いの間隔を開け、滑雪の距離を短くして、その間から太陽電池セルに積雪した雪を落すようにしている。さらに、太陽電池セルからの落雪で埋もれないように、足の長い架台として積雪が太陽電池モジュールまで届かないようにする方法がある。
【００１１】
太陽電池モジュールを足の長い架台に取り付ける場合には、太陽電池モジュールが台風のような強風にあおられるため、屋根材に対して確実に強固に架台を固定することが必要となる。しかし、降雪地域の屋根は積雪荷重に耐えるようには設計されているが、屋根材が持ち上げられる方向の強度についてはそれほど考慮されていない。
【００１２】
そのため、図１３に示すように、本発明者は先に特願２０１０−３０７８０として、長尺鋼板屋根材40の一対のハゼ41を除く部分よりやや狭い幅の梁折板51を設け、梁折板51は水平な複数の山部と水平な谷部を有する折板形状で、長尺鋼板屋根材40のハゼ41と梁折板51の山部が平面視で平行に位置し、梁折板51の両端の山部裾野間に渡り梁折板51の下方を塞ぎ梁折板51の両端の山部裾野間が広がるのを防ぐ略水平方向の板である開止め板52を設け、開止め板52は長尺鋼板屋根材40の一対のハゼ41を除く部分に載り梁折板51の谷部底面に接して梁折板51を支え、梁折板51の上に細長い複数の柱受303を固定し、複数の柱受303は長尺鋼板屋根材40のハゼ41と直交してその上方に位置し、柱受303の梁折板51の両端の山部裾野より外方で柱受303の下部に垂直方向の薄い板である一対の固定用薄板54を固定し、一対の固定用薄板54の外方のハゼ41に一対のハゼ固定用金物55を固定し、一対の固定用薄板54をそのハゼ固定用金物55と固定し、固定用薄板54の座屈強度を吊子43の座屈強度より小とし、梁折板51または柱受303に架台を取り付けた屋根への取付構造を提案した。
【００１３】
この屋根への取付構造では、柱受303とハゼ固定用金物55の間を座屈強度の小さな固定用薄板54で連結したものである。これにより、下方への力が局部的に加わっても固定用薄板54が変形することになり、屋根材を傷めるおそれが無いものである。
【００１４】
しかしこの発明では固定用薄板54を必須の構成とするものであり、部品点数が多くなり、取り付けに手間を多く要していた。
【００１５】
そこで本発明は、既存の屋根に後から取付けられ、屋根材を傷めるおそれが無く、屋根材に対して確実に強固に架台を固定し、部品点数が少なく取り付けに手間を要しない、太陽電池等の屋根への取付構造を提供することを目的とする。
【課題を解決するための手段】
【００１６】
請求項１の発明の太陽電池等の屋根への取付構造は、長尺鋼板屋根材40のハゼ41と野地板46の間を吊子43が連結する長尺鋼板屋根材40による屋根への架台１の取付構造において、長尺鋼板屋根材40の一対のハゼ41を除く部分よりやや狭い幅の梁折板10を設け、梁折板10は水平な複数の山部11と水平な谷部12を有する折板形状で、長尺鋼板屋根材40のハゼ41と梁折板10の山部11が平面視で平行に位置し、梁折板10の両端の山部裾野14間に渡り梁折板10の下方を塞ぎ梁折板10の両端の山部裾野14間が広がるのを防ぐ略水平方向の板である開止め板20を設け、開止め板20は長尺鋼板屋根材40の一対のハゼ41を除く部分に載り、梁折板10の谷部12底面に開止め板20の水平部21上面が接して梁折板10を支え、開止め板20の一対のハゼ41方向両端に垂直方向の板である一対の垂直片24を設け、開止め板20の水平部21と垂直片24の間を円弧状の薄い板でつないだアール部26とし、一対の垂直片24の外方のハゼ41に一対のハゼ固定用金物27を固定し、一対の垂直片24をそのハゼ固定用金物27と固定し、開止め板20のアール部26の半径が大きくなる方向の強度を吊子43の座屈強度より小とし、梁折板10の上に柱受30固定し、柱受30に太陽電池等の架台１を取り付けたものである。
【００１７】
請求項２の発明の太陽電池等の屋根への取付構造は、垂直片24には垂直方向に長い長孔25を設け、長孔25を介してハゼ固定用金物27と垂直片24を固定するものである。
【発明の効果】
【００１８】
請求項１の発明によれば、長尺鋼板屋根材40の一対のハゼ41を除く部分よりやや狭い幅の梁折板10を設け、梁折板10は水平な複数の山部11と水平な谷部12を有する折板形状で、長尺鋼板屋根材40のハゼ41と梁折板10の山部11が平面視で平行に位置し、梁折板10の両端の山部裾野14間に渡り梁折板10の下方を塞ぎ梁折板10の両端の山部裾野14間が広がるのを防ぐ略水平方向の板である開止め板20を設け、開止め板20は長尺鋼板屋根材40の一対のハゼ41を除く部分に載り、梁折板10の谷部12底面に開止め板20の水平部21上面が接して梁折板10を支え、開止め板20の一対のハゼ41方向両端に垂直方向の板である一対の垂直片24を設け、開止め板20の水平部21と垂直片24の間を円弧状の薄い板でつないだアール部26とし、一対の垂直片24の外方のハゼ41に一対のハゼ固定用金物27を固定し、一対の垂直片24をそのハゼ固定用金物27と固定したから、開止め板20とハゼ固定用金物27で長尺鋼板屋根材40に接することになり、既存の屋根に後から取付けられる。
【００１９】
また、開止め板20のアール部26の半径が大きくなる方向の強度を吊子43の座屈強度より小としたから、下方への力が局部的に加わっても開止め板20のアール部26が変形することになり、吊子43が座屈して長尺鋼板屋根材40も変形して窪んでしまうことが無く、屋根材を傷めるおそれが無い。
【００２０】
また、開止め板20は長尺鋼板屋根材40の一対のハゼ41を除く部分に載り、梁折板10の谷部12底面に開止め板20の水平部21上面が接して梁折板10を支え、開止め板20の一対のハゼ41方向両端に垂直方向の板である一対の垂直片24を設け、開止め板20の水平部21と垂直片24の間を円弧状の薄い板でつないだアール部26とし、一対の垂直片24の外方のハゼ41に一対のハゼ固定用金物27を固定し、一対の垂直片24をそのハゼ固定用金物27と固定したから、上方への力には吊子43が伸びる方向であり、開止め板20のアール部26の半径が小さくなる方向であるため耐えられる。さらに、長尺鋼板屋根材40の一対のハゼ41を除く部分よりやや狭い幅の梁折板10を設け、梁折板10は水平な複数の山部11と水平な谷部12を有する折板形状で、長尺鋼板屋根材40のハゼ41と梁折板10の山部11が平面視で平行に位置し、梁折板10の両端の山部裾野14間に渡り梁折板10の下方を塞ぎ梁折板10の両端の山部裾野14間が広がるのを防ぐ略水平方向の板である開止め板20を設け、開止め板20は長尺鋼板屋根材40の一対のハゼ41を除く部分に載り、梁折板10の谷部12底面に開止め板20の水平部21上面が接して梁折板10を支えるから、下方への力には広い面積の開止め板20が長尺鋼板屋根材40の一対のハゼ41を除く部分に接して支えることとなり、屋根材に対して確実に強固に架台１を固定できる。
【００２１】
また、開止め板20の一対のハゼ41方向両端に垂直方向の板である一対の垂直片24を設け、開止め板20の水平部21と垂直片24の間を円弧状の薄い板でつないだアール部26とし、一対の垂直片24の外方のハゼ41に一対のハゼ固定用金物27を固定し、一対の垂直片24をそのハゼ固定用金物27と固定し、開止め板20のアール部26の半径が大きくなる方向の強度を吊子43の座屈強度より小としたから、固定用薄板54のような別の部品を必要とせず、部品点数が少なく取り付けに手間を要しない。
【００２２】
請求項２の発明によれば、垂直片24には垂直方向に長い長孔25を設け、長孔25を介してハゼ固定用金物27と垂直片24を固定するから、長尺鋼板屋根材40の一対のハゼ41の間隔に広狭があっても確実に固定できる。
【図面の簡単な説明】
【００２３】
【図１】図１は太陽電池等の屋根への取付構造の実施例１を示す一部を切り欠いた側面図である。
【図２】図２は図１の架台上部構造の拡大平面図である。
【図３】図３は図１の架台下部構造の拡大平面図である。
【図４】図４は図３の要部を示す部分拡大図である。
【図５】図５は図４の柱受近傍の断面図である。
【図６】図６は図４のハゼ固定用金物近傍の断面図である。
【図７】図７は図６の開止め板を示す図である。
【図８】図８は図７の側面図である。
【図９】図９は図７の作用を示す部分拡大図である。
【図１０】図１０は図７の別な作用を示す部分拡大図である。
【図１１】図１１は図７の別な作用を示す部分拡大図である。
【図１２】図１２は長尺鋼板屋根材を用いた屋根の断面図である。
【図１３】図１３は先行技術を示す断面図である。
【発明を実施するための形態】
【００２４】
既存の屋根に後から取付けられ、屋根材を傷めるおそれが無く、屋根材に対して確実に強固に架台を固定し、部品点数が少なく取り付けに手間を要しない、太陽電池等の屋根への取付構造を提供する目的を、長尺鋼板屋根材40のハゼ41と野地板46の間を吊子43が連結する長尺鋼板屋根材40による屋根への架台１の取付構造において、長尺鋼板屋根材40の一対のハゼ41を除く部分よりやや狭い幅の梁折板10を設け、梁折板10は水平な複数の山部11と水平な谷部12を有する折板形状で、長尺鋼板屋根材40のハゼ41と梁折板10の山部11が平面視で平行に位置し、梁折板10の両端の山部裾野14間に渡り梁折板10の下方を塞ぎ梁折板10の両端の山部裾野14間が広がるのを防ぐ略水平方向の板である開止め板20を設け、開止め板20は長尺鋼板屋根材40の一対のハゼ41を除く部分に載り、梁折板10の谷部12底面に開止め板20の水平部21上面が接して梁折板10を支え、開止め板20の一対のハゼ41方向両端に垂直方向の板である一対の垂直片24を設け、開止め板20の水平部21と垂直片24の間を円弧状の薄い板でつないだアール部26とし、一対の垂直片24の外方のハゼ41に一対のハゼ固定用金物27を固定し、一対の垂直片24をそのハゼ固定用金物27と固定し、開止め板20のアール部26の半径が大きくなる方向の強度を吊子43の座屈強度より小とし、梁折板10の上に柱受30固定し、柱受30に太陽電池等の架台１を取り付けることで実現した。
【００２５】
また、垂直片24には垂直方向に長い長孔25を設け、長孔25を介してハゼ固定用金物27と垂直片24を固定することで実現した。
【実施例１】
【００２６】
図１から１２は、本発明の実施例１に係る太陽電池等の屋根への取付構造である。
【００２７】
建造物の水勾配でほぼ平らな無落雪屋根として、長尺鋼板屋根材40が蟻掛葺の物を示している。蟻掛葺の長尺鋼板屋根材40とは、立平葺形状の中央にリブ42を設けたもので、立平葺より強度が高く積雪荷重により耐えられるものである。
【００２８】
長尺鋼板屋根材40は図１２に示すように、間隔を開けた屋根垂木47の上に野地板46を隙間無く敷き、野地板46の上にハゼ吊子43と中間吊子44を固定し、ハゼ吊子43と中間吊子44の間に断熱材45として押出発泡スチレンボードを敷き詰め、その上に長尺鋼板屋根材40を載せ、そのリブ42を中間吊子44にはめ込み、長尺鋼板屋根材40のハゼ41とハゼ吊子43をカシメて固定する。このことにより、長尺鋼板屋根材40のハゼ41と野地板46の間を吊子43が連結することになる。
【００２９】
図１には太陽電池等として、傾斜を有する架台１に複数列に太陽電池モジュール２を設置した例を示している。
【００３０】
架台１には、垂直方向に長い長短一対の多数の柱３と、長短一対の柱３の頂部の間に傾斜させて設けたモジュール受４と、それらを縦方向に連結する縦梁５と、それらを横方向に連結する横梁６により、一体化させて強固な枠とする。
【００３１】
次に、長尺鋼板屋根材40による屋根への架台１の取付構造を説明する。
【００３２】
図３に示すように、長尺鋼板屋根材40の一対のハゼ41を除く部分よりやや狭い幅の梁折板10を設ける。
【００３３】
梁折板10は水平な複数の山部11と水平な谷部12を有し、その山部11と谷部12の間を斜めに繋ぐ傾斜板13とによる折板形状で、梁折板10の両端の山部11から斜め下方への山部裾野14を形成する。実施例では、山部11を３個、谷部12を２個設け、谷部12の長さを山部11より長くしている。
【００３４】
長尺鋼板屋根材40のハゼ41の方向と、梁折板10の山部11の方向が平面視で平行に位置する。
【００３５】
梁折板10の両端の山部裾野14間に渡る開止め板20を設ける。
【００３６】
開止め板20は、略水平方向の板で梁折板10と同じ長さとする。開止め板20の両端部は上方に折り曲げられた係止部22とし、係止部22と梁折板10の山部裾野14はリベットで固定される。開止め板20の中央部は上方に凸な逃げ部23とし、長尺鋼板屋根材40のリブ42と接触しないようにし、係止部22と逃げ部23の間は水平方向の板である水平部21とする。
【００３７】
これにより、開止め板20は梁折板10の下方を塞ぎ、梁折板10に下方への力が加わったときに両端の山部裾野14間が広がるのを防ぐ。
【００３８】
開止め板20は長尺鋼板屋根材40の一対のハゼ41を除く部分に載り、梁折板10の谷部12底面に開止め板20の水平部21上面が接して梁折板10を支える。
【００３９】
梁折板10の上に細長い複数の柱受30を複数のバンド金具32で固定する。複数の柱受30は長尺鋼板屋根材40のハゼ41と直交してその上方に位置し、柱受30はミゾ形鋼のように強度のある細長い部材で梁折板10の変形を防ぐ。
【００４０】
柱受30には、適宜な複数箇所に柱受31を固定し、柱受31に架台１の柱３を取り付け固定する。実施例では、一個の梁折板10に二本の柱受30を固定した。
【００４１】
開止め板20の一対のハゼ41方向両端に、垂直方向の所定幅の板である一対の垂直片24を複数箇所に設け、開止め板20の水平部21と垂直片24の間を円弧状の薄い板でつないだアール部26とする。垂直片24には垂直方向に長い一対の長孔25を設ける。
【００４２】
一対の垂直片24の外方のハゼ41に一対のハゼ固定用金物27を固定し、垂直片24の長孔25を介してハゼ固定用金物27と垂直片24を固定する。
【００４３】
ここで、図１１に示すように、アール部26が半径の大小に変形したアール部26bとなり、垂直片24が水平方向に移動した垂直片24aとすることができ、長尺鋼板屋根材40の一対のハゼ41の間隔に広狭があっても確実に固定できる。
【００４４】
ハゼ固定用金物27は雪止金具様のもので、正面視が倒立Ｕの字形状であり、そのボルトを締めこむことにより長尺鋼板屋根材40のハゼ41に確実に強固に固定する。一対の垂直片24をそのハゼ固定用金物27の締め付けボルトで共締めして固定する。
【００４５】
開止め板20のアール部26の半径が大きくなる方向の強度を、吊子43の座屈強度より小とする。
【００４６】
実施例では、開止め板20のアール部26の板厚を０．７ミリメートル、幅を９０ミリメートルとし、垂直片24を開止め板20の長手方向の３箇所に設けた。
【００４７】
ここで、図１０に示すように、開止め板20のアール部26の半径が大きくなる方向の強度を吊子43の座屈強度より小としたから、水平部21が下方へ移動しても直線的なアール部26aとなり、柱受30へ加わった下方への力をハゼ41に伝えない。
【００４８】
また、柱受30に上方への力が加わると、図９に示すように、開止め板20の水平部21が上方へ移動するとアール部26の半径が小さくなる方向であるため変形し難く、その力が垂直片24とハゼ固定用金物27を介してハゼ41に伝えられるから、上方への力にも耐えられる。
【００４９】
以上の実施例では、長尺鋼板屋根材40として蟻掛葺の物を示したが、長尺鋼板屋根材40は立平葺や瓦棒葺のようにハゼ様のものと吊子様のもので野地板46に取付けられるものであれば良い。
【００５０】
また、太陽電池等として太陽電池モジュールを示したが、太陽電池等とは雪庇発生防止装置のように屋根に強固に取り付ける必要のあるものであれば良い。
【００５１】
また、梁折板10の上に細長い複数の柱受30固定した例を示したが、柱受30は矩形の板や枠でも良く、梁折板10の上に一個を固定するようにしても良い。
【符号の説明】
【００５２】
１  架台
10  梁折板
11  山部
12  谷部
14  山部裾野
20  開止め板
21  水平部
24  垂直片
25  長孔
26  アール部
27  ハゼ固定用金物
30  柱受
40  長尺鋼板屋根材
41  ハゼ
43  吊子
46  野地板
【図１】
2011247035.tif 000003
【図２】
2011247035.tif 000004
【図３】
2011247035.tif 000005
【図４】
2011247035.tif 000006
【図５】
2011247035.tif 000007
【図６】
2011247035.tif 000008
【図７】
2011247035.tif 000009
【図８】
2011247035.tif 000010
【図９】
2011247035.tif 000011
【図１０】
2011247035.tif 000012
【図１１】
2011247035.tif 000013
【図１２】
2011247035.tif 000014
【図１３】
2011247035.tif 000015
【手続補正書】
【提出日】平成23年6月16日(2011.6.16)
【手続補正１】
【補正対象書類名】明細書
【補正対象項目名】００１２
【補正方法】変更
【補正の内容】
【００１２】
そのため、図１３に示すように、本発明者は先に特願２０１０−３０７８０として、長尺鋼板屋根材40の一対のハゼ41を除く部分よりやや狭い幅の梁折板51を設け、梁折板51は水平な複数の山部と水平な谷部を有する折板形状で、長尺鋼板屋根材40のハゼ41と梁折板51の山部が平面視で平行に位置し、梁折板51の両端の山部裾野間に渡り梁折板51の下方を塞ぎ梁折板51の両端の山部裾野間が広がるのを防ぐ略水平方向の板である開止め板52を設け、開止め板52は長尺鋼板屋根材40の一対のハゼ41を除く部分に載り梁折板51の谷部底面に接して梁折板51を支え、梁折板51の上に細長い複数の柱受53を固定し、複数の柱受53は長尺鋼板屋根材40のハゼ41と直交してその上方に位置し、柱受53の梁折板51の両端の山部裾野より外方で柱受53の下部に垂直方向の薄い板である一対の固定用薄板54を固定し、一対の固定用薄板54の外方のハゼ41に一対のハゼ固定用金物55を固定し、一対の固定用薄板54をそのハゼ固定用金物55と固定し、固定用薄板54の座屈強度を吊子43の座屈強度より小とし、梁折板51または柱受53に架台を取り付けた屋根への取付構造を提案した。
【手続補正２】
【補正対象書類名】明細書
【補正対象項目名】００１３
【補正方法】変更
【補正の内容】
【００１３】
この屋根への取付構造では、柱受53とハゼ固定用金物55の間を座屈強度の小さな固定用薄板54で連結したものである。これにより、下方への力が局部的に加わっても固定用薄板54が変形することになり、屋根材を傷めるおそれが無いものである。